(57)【特許請求の範囲】
【請求項１】
パネルが屈曲自在に連結されてシャッタカーテンが構成され、前記パネルの上下一方の端に一部が欠切された円筒状の雌連結部が形成され、他方の端に一部が欠切された円筒状の雄連結部が形成され、上下に配設されたパネルが前記雌連結部に雄連結部が回転自在に嵌合することで連結され、前記雌連結部の欠切部と前記雄連結部の欠切部が合致可能とし、前記雌連結部の欠切部と前記雄連結部の欠切部が合致した状態で、ローラが設けられるローラ軸を前記欠切部を介して前記雄連結部に嵌合可能としたことを特徴とするシャッタカーテンの構造。
【請求項２】
前記雄連結部の欠切部を補充する固定片を前記パネルに設けた請求項１のシャッタカーテンの構造。
【請求項３】
前記固定片が前記ローラ軸を固定する請求項２のシャッタカーテンの構造。
【請求項４】
前記ローラ軸の軸心が前記パネルの厚み中心に一致若しくは略一致する請求項１のシャッタカーテンの構造。
【発明の詳細な説明】
【０００１】
【発明の属する技術分野】
本発明は、例えば建物の出入口、窓等の開口部、或は車両のコンテナ、荷台の開口部等を開閉するシャッタのシャッタカーテンの構造に関するものである。
【０００２】
【従来の技術】
シャッタカーテンは、スラット、パネル等のカーテン部材を屈曲自在に連結して構成される。又、これらのカーテン部材で構成されるシャッタカーテンの場合、シャッタカーテンの端部にローラが設けられ、該ローラを介してガイドレールにガイドされる様になっている場合がある。
【０００３】
図９、図１０、図１１により従来のシャッタカーテンの構造、特にスラット間、パネル間の連結構造について説明する。
【０００４】
図９はシャッタカーテンがスラット１で構成されている場合の、スラットの連結構造を示している。
【０００５】
該スラット１は帯状の平板を屈曲成形したものであり、該スラット１の上端、下端にはカール形状の連結部２，３が形成され、該連結部２と連結部３とが嵌合可能となっている。前記スラット１同士を連結する場合は、スラットの端部から連結するもう１つのスラットを長手方向に沿ってスライドし差込み挿入している。図９で示すシャッタカーテン構造では、前記スラット１の端部がガイドレール（図示せず）に摺動自在に嵌合している。
【０００６】
図１０はシャッタカーテンがパネル４で構成されている場合の、パネルの連結構造を示している。
【０００７】
該パネル４の上端部の断面は上側に向かって凸形状となっており、該パネル４の下端部の断面は下側に位置するパネルの上端部が嵌脱可能な凹形状をしている。上側のパネル４と下側のパネル４とは蝶番５で連結されており、前記パネル４同士は前記蝶番５の連結軸６を中心に屈伸可能となっている。
【０００８】
尚、パネルで構成されるシャッタカーテンの場合、シャッタカーテンの端部を直接ガイドレールに嵌合するには該ガイドレールを極めて大きな屈曲半径にしなければならないので、シャッタカーテンの端部に所定間隔でローラを設け、該ローラを前記ガイドレールに嵌合させて前記シャッタカーテンをガイドしている。
【０００９】
図１０で示すシャッタカーテンの場合、前記連結軸６にローラ７を回転自在に設け、該ローラ７をガイドレール（図示せず）に嵌合している。シャッタカーテンは前記ローラ７を介してガイドレールに沿って開閉される。
【００１０】
図１１はシャッタカーテンがパネル４で構成され、該パネル４が引抜き材又は押出し材である場合のパネルの連結構造を示している。
【００１１】
該パネル４は中空構造であり、上端部に雄型連結部８、下端部に雌型連結部９が形成されている。前記雄型連結部８は上方に延びるネック部１１を介して設けられており、図中右上部分が欠切された円筒形状となっている。前記パネル４の本体上面は前記雄型連結部８から離反する傾斜面１２となっており、該傾斜面１２に筒部１３が形成されている。
【００１２】
前記雌型連結部９は前記雄型連結部８が内嵌可能な円筒形状となっており、図中左下部分が欠切されている。
【００１３】
前記パネル４の連結は、上側のパネル４に対して下側のパネル４を傾斜させ、前記雌型連結部９に前記雄型連結部８を嵌込み、上側のパネル４に対する傾斜を戻して下側のパネル４を略直線状に伸ばす。伸ばした状態では、前記雄型連結部８の円筒部と雌型連結部９の円筒部が嵌合するので、前記パネル４同士が外れることはなくなる。又、前記雄型連結部８の円筒部と雌型連結部９の円筒部が嵌合している範囲内で、前記パネル４同士は外れることなく屈伸自在となる。
【００１４】
前記筒部１３にローラ回転軸（図示せず）が嵌着され、該ローラ回転軸にローラ７が回転自在に設けられ、該ローラ７が図示しないガイドレールに嵌合する。
【００１５】
【発明が解決しようとする課題】
然し乍ら、上記従来のシャッタカーテンの構造では、以下に述べる不具合がある。
【００１６】
図９に示されるものでは、スラット１を端部からスライドし差込み挿入する為、大きな作業スペースを必要とする。
【００１７】
図１０に示されるものでは、蝶番５が内側に出っ張り、シャッタカーテンが移動する為の空間が大きくなり、設置上の制約を受け、又パネル４が屈伸する場合の回転中心が連結軸６となり、前記パネル４の中心よりずれている為、パネルの屈伸が円滑でない。
【００１８】
図１１に示されるものでは、パネル４が屈伸する場合の回転中心とローラ７の中心がずれており、パネルの屈伸が円滑でない。又、前記ローラ７は摩耗するので、適当な時期に交換しなければならないが、該ローラ７は個々に着脱できないので、該ローラ７を交換する作業はシャッタカーテンを取外して行うこととなり大掛かりな作業となる。
【００１９】
本発明は斯かる実情に鑑み、スラット、パネル等のカーテン部材をスライドさせることなく嵌込み式で着脱でき作業スペースが少なくて済み、又ローラの交換が簡単に行えるシャッタカーテンの構造を提供するものである。
【００２０】
【課題を解決するための手段】
本発明は、カーテン部材が屈曲自在に連結されてシャッタカーテンが構成され、前記カーテン部材の上下一方の端に一部が欠切された円筒状の雌連結部が形成され、他方の端に一部が欠切された円筒状の雄連結部が形成され、上下に配設されたカーテン部材が前記雌連結部に雄連結部が回転自在に嵌合することで連結され、前記雌連結部の欠切部と前記雄連結部の欠切部が合致可能としたシャッタカーテンの構造に係り、又前記カーテン部材がパネルであり、前記雌連結部の欠切部と雄連結部の欠切部が合致した状態で、ローラが設けられるローラ軸を前記欠切部を介して前記雄連結部に嵌合可能としたシャッタカーテンの構造に係り、又前記雄連結部の欠切部を補充する固定片を前記カーテン部材に設けたシャッタカーテンの構造に係り、又前記固定片が前記ローラ軸を固定するシャッタカーテンの構造に係り、更に又前記ローラ軸の軸心が前記カーテン部材の厚み中心に一致若しくは略一致するシャッタカーテンの構造に係るものである。
【００２１】
【発明の実施の形態】
以下、図面を参照しつつ本発明の実施の形態を説明する。
【００２２】
図１〜図８は本発明がオーバーヘッドドアに実施された場合を示している。
【００２３】
先ず、図１〜図５に於いてオーバーヘッドドアについて略述する。
【００２４】
建屋開口部の左右側柱から天井付近に掛渡ってガイドレール１５が設けられ、該ガイドレール１５に沿ってシャッタカーテン１６が移動する。
【００２５】
該シャッタカーテン１６は屈曲自在に複数連結されたカーテン部材である引抜き型材又は押出し型材のパネル１７により構成されている。
【００２６】
前記ガイドレール１５の上端上方にまぐさ（図示せず）に沿ってシャフト３５がブラケット３６を介して回転自在に設けられ、前記シャフト３５の両端部には巻取りドラム３７が設けられている。該巻取りドラム３７にワイヤ３８が巻設され、該ワイヤ３８の先端は前記パネル１７の下端に設けられたフックピース３９に係着されている。前記シャフト３５にはバランススプリング４１が設けられ、該バランススプリング４１は前記ワイヤ３８を介して前記パネル１７を上方に付勢し、該パネル１７から構成されたシャッタカーテン１６の開閉力を軽減している。
【００２７】
前記パネル１７とパネル１７との連結部にはローラ７が設けられ、該ローラ７が前記ガイドレール１５内を転動する。又、最上段のパネル１７上端にはローラ支持金具４０を介してローラ７が設けられている。該ローラ支持金具４０は最上段のローラ７をパネル１７から偏心した位置に支持しており、前記ガイドレール１５が上端で湾曲していることに対応している。
【００２８】
前記シャッタカーテン１６が開放状態では、該シャッタカーテン１６の略大部分は該シャッタカーテン１６の天井側の水平部に格納される。
【００２９】
前記パネル１７は上端部に図中、右上部分が欠切された円筒形状の雌連結部１８が形成されている。該雌連結部１８の断面形状は円の一部が欠切された形状であり、欠切部２７の円弧長が１２０°程度、即ち１８０°より小さくなっている。前記パネル１７の下端部に前記雌連結部１８と同方向の位置の円弧部分（図中、右上部分）が欠切され欠切部２７が形成された円筒形状の雄連結部１９が形成されている。該雄連結部１９の断面形状は、フック形状をしており、該雄連結部１９の円筒部の外径は、前記雌連結部１８の内径より僅かに小さく、前記雄連結部１９は前記雌連結部１８に回転自在に嵌合可能となっている。
【００３０】
又、前記雄連結部１９の中心は前記パネル１７の厚み方向の中心に一致、又は略一致しており、前記雌連結部１８、雄連結部１９の欠切部２７の溝幅は雄連結部１９の内径と等しくなっている。従って、雄連結部１９の外径は肉厚分だけ欠切部２７の溝幅より大きくなっている。
【００３１】
前記雌連結部１８と雄連結部１９とを嵌合する場合は、上下のパネル１７を屈曲、即ち上下のパネル１７の一方を他方に対して傾斜させた状態で相互の欠切部２７を合わせて嵌込み、傾斜を戻して上下のパネル１７を略直線状に伸長させる。伸長させた状態では、前記雌連結部１８と雄連結部１９の欠切部２７が合致する様になっている。
【００３２】
前記パネル１７の上端、前面側の縁には段差２１が形成され、前記パネル１７の下端、前面側には前記雄連結部１９と同心の円弧溝２２が形成されると共に該円弧溝２２に隣接してシール材保持溝２３が形成されている。該シール材保持溝２３を形成する壁部２４，２５の内、一方即ち前面側の壁部２４は前記円弧溝２２とシール材保持溝２３の境界をなす他方の壁部２５より下方に延出しており、上下のパネル１７が伸長した状態で、前記壁部２４が前記段差２１に当接する様になっている。
【００３３】
前記シール材保持溝２３には図示していないが、シール材が嵌設される様になっており、該シール材は前記パネル１７の伸長時、即ちシャッタカーテンが閉鎖した状態で前記パネル１７の連結部を水密状態としている。又、前記シール材は前記壁部２４と段差２１とが当接する際に、前記シール材の持つ弾性により緩衝材としても機能している。
【００３４】
前記パネル１７の連結部両端にはローラ軸２６を介して前記ローラ７が設けられる。
【００３５】
前記雌連結部１８と雄連結部１９とが嵌合し、前記雌連結部１８と雄連結部１９の欠切部２７が合致した状態で、前記ローラ軸２６が前記雄連結部１９に前記欠切部２７より嵌合される。前記ローラ軸２６は端部が前記パネル１７の端より突出した状態で嵌合され、突出部に前記ローラ７が回転自在に設けられる。
【００３６】
前記パネル１７の下端部裏面に固定片２８を螺子２９により固着する。前記固定片２８は前記欠切部２７を閉塞する様に前記ローラ軸２６に当接する軸押え部２８ａと前記パネル１７下端部に当接する当て板部２８ｂからなる。該当て板部２８ｂに対向し、前記パネル１７の内側に断面Ｌ字状のナットプレート３１が配設されている。前記螺子２９は前記当て板部２８ｂ及びパネル１７の後面を貫通し、前記ナットプレート３１に螺合する。
【００３７】
該ナットプレート３１には下方に延びる舌片３１ａが形成され、該舌片３１ａは前記円弧溝２２を略覆う様になっており、上側のパネル１７と下側のパネル１７とのずれを抑止している。又、前記ローラ軸２６には突出部所要位置にカシメ部２６ａが形成され、該カシメ部２６ａは前記ローラ軸２６と前記パネル１７とのずれを抑止している。
【００３８】
前記固定片２８は前記ローラ軸２６を固定する機能を有すると共に前記軸押え部２８ａが前記雄連結部１９の欠切部２７を補充し、筒体を形成するので前記雌連結部１８と雄連結部１９の外止めとして機能する。前記固定片２８は前記パネル１７全幅に亘る長さとして１本としてもよく、又パネル１７両端部以外の箇所にも所要数設けてもよい。
【００３９】
上記シャッタカーテン１６の開閉作業時、前記パネル１７は連結部を中心に屈伸するが、屈伸中心と前記ローラ軸２６の軸心とが合致しているので、屈伸動作は円滑であり、前記ローラ７に掛かる負担が少なく、該ローラ７の寿命が延びると共に騒音の発生も少ない。
【００４０】
前記パネル１７の屈伸中心と前記ローラ軸２６の軸心とが合致し、該ローラ軸２６の軸心が前記パネル１７の厚み中心に一致若しくは略一致しているので、シャッタカーテンの開閉動作時にガイドレールからのパネルの出寸法が小さくてすみ、即ちシャッタカーテンの移動軌跡を小さくできる。
【００４１】
前記パネル１７同士の連結、解除は前記固定片２８、ローラ軸２６を取外した状態で、前記パネル１７の後面側、即ちパネル１７の雌連結部１８の欠切部２７の欠切方向側から簡単に行え、又前記ローラ７を交換する場合も、前記固定片２８を取外すことで簡単に行え、前記シャッタカーテン１６からパネル１７を外す等の作業をしなくともよい。
【００４２】
尚、上記実施の形態では、シャッタカーテンが上下方向に開閉する場合を説明したが、左右方向に開閉する横引きのシャッタカーテン等任意のものでよい。又、前記固定片はローラが設けられないシャッタカーテンの場合、カーテン部材の外止めとして設けられる。
【００４３】
又、前記雌連結部１８の欠切部と雄連結部１９の欠切部がシャッタカーテンの使用時には実現されない角度で合致する様に連結すれば、前記固定片２８は省略できる。
【００４４】
【発明の効果】
以上述べた如く本発明によれば、カーテン部材が屈曲自在に連結されてシャッタカーテンが構成され、前記カーテン部材の上下一方の端に一部が欠切された円筒状の雌連結部が形成され、他方の端に一部が欠切された円筒状の雄連結部が形成され、上下に配設されたカーテン部材が前記雌連結部に雄連結部が回転自在に嵌合することで連結され、前記雌連結部の欠切部と前記雄連結部の欠切部が合致可能としたので、カーテン部材の連結、解除をカーテン部材の面に垂直等の対向した方向から作業でき、作業スペースが少なくて済む。
【００４５】
又、カーテン部材がパネルであり、前記雌連結部の欠切部と雄連結部の欠切部が合致可能であり、ローラが設けられるローラ軸を前記欠切部を介して前記雄連結部に嵌合可能としたので、ローラが摩耗した場合等に簡単にローラの交換を行える。
【００４６】
更に、ローラ軸の軸心が前記カーテン部材の厚み中心に一致若しくは略一致しているので、シャッタカーテンの開閉動作が円滑であり、ローラに掛かる負担が少なく、ローラの寿命が延びると共に騒音の発生も少ない等の優れた効果を発揮する。
【図面の簡単な説明】
【図１】本発明の実施の形態を示す側面図である。
【図２】同前実施の形態の正面図である。
【図３】同前実施の形態の背面図である。
【図４】同前実施の形態の上部背面図である。
【図５】同前実施の実施の形態の要部斜視図である。
【図６】同前実施の形態の要部側断面図である。
【図７】同前実施の形態の端部背面図である。
【図８】同前実施の形態の連結部側面図である。
【図９】従来例の側面図である。
【図１０】他の従来例の側面図である。
【図１１】更に他の従来例の側面図である。
【符号の説明】
１          スラット
７          ローラ
１７        パネル
１８        雌連結部
１９        雄連結部
２６        ローラ軸
２７        欠切部
２８        固定片
３１        ナットプレート
【図１】
0004659284.tif 000002
【図２】
0004659284.tif 000003
【図３】
0004659284.tif 000004
【図４】
0004659284.tif 000005
【図５】
0004659284.tif 000006
【図６】
0004659284.tif 000007
【図７】
0004659284.tif 000008
【図８】
0004659284.tif 000009
【図９】
0004659284.tif 000010
【図１０】
0004659284.tif 000011
【図１１】
0004659284.tif 000012